(57)【要約】【課題】連続動作時において幕を安定させ、露光時間のばらつきを抑制できるフォーカルプレーンシャッタを提供する。【解決手段】フォーカルプレーンシャッタ１０は、第１開口１２を有する台板１１と、台板１１に対向するように配置され、第１開口１２に対応する位置に形成された第２開口１６を有する羽根受板１５と、台板１１と羽根受板１５との間に配置され、第１開口１２および第２開口１６を開放した開放位置と、第１開口１２および第２開口１６を閉鎖した閉鎖位置と、の間を移動して、第１開口１２および第２開口１６を開閉する後幕３０Ｂと、を備えている。羽根受板１５は、光軸方向Ｌ３から見て開放位置にある後幕３０Ｂと重なる位置において、後幕３０Ｂに向けて突設され、後幕３０Ｂが接触可能とされた突出部１７を有する。【選択図】図６
2017090565.tif 000002
【特許請求の範囲】
【請求項１】
第１開口を有する第１基板と、
前記第１基板に対向するように配置され、前記第１開口に対応する位置に形成された第２開口を有する第２基板と、
前記第１基板と前記第２基板との間に配置され、前記第１開口および前記第２開口を開放した開放位置と、前記第１開口および前記第２開口を閉鎖した閉鎖位置と、の間を移動して、前記第１開口および前記第２開口を開閉する幕と、
を備え、
前記第２基板は、光軸方向から見て前記開放位置にある前記幕と重なる位置において、前記幕に向けて突設され、前記幕が接触可能とされた突出部を有する、
ことを特徴とするフォーカルプレーンシャッタ。
【請求項２】
前記第１基板と前記第２基板との間に配置される仕切り板を備え、
前記幕は、露光を終了させる後幕を含み、
前記仕切り板には、前記突出部が配置される逃げ部が形成され、
前記突出部は、前記光軸方向から見て前記開放位置にある前記後幕と重なる位置において、前記後幕に向けて突設され、前記後幕が接触可能とされている、
ことを特徴とする請求項１に記載のフォーカルプレーンシャッタ。
【請求項３】
前記第１基板と前記第２基板との間に配置される仕切り板を備え、
前記幕は、露光を開始させる先幕を含み、
前記仕切り板には、前記突出部が配置される逃げ部が形成され、
前記突出部は、前記光軸方向から見て前記開放位置にある前記先幕と重なる位置において、前記先幕に向けて突設され、前記先幕が接触可能とされている、
ことを特徴とする請求項１に記載のフォーカルプレーンシャッタ。
【請求項４】
前記突出部は、複数設けられている、
ことを特徴とする請求項１から３のいずれか１項に記載のフォーカルプレーンシャッタ。
【請求項５】
前記幕は、前記開放位置において重なりつつ収納される羽根を有し、
前記羽根は、前記開放位置から前記閉鎖位置への移動方向と交差する所定方向に沿うように延び、
前記突出部は、前記所定方向に並んで配置されている、
ことを特徴とする請求項４に記載のフォーカルプレーンシャッタ。
【請求項６】
前記幕は、前記開放位置において重なりつつ収納される羽根を有し、
前記羽根は、前記開放位置から前記閉鎖位置への移動方向と交差する所定方向に沿うように延び、
前記突出部は、前記所定方向に沿うように延びている、
ことを特徴とする請求項１から４のいずれか１項に記載のフォーカルプレーンシャッタ。
【請求項７】
前記突出部の先端部には、前記閉鎖位置側から前記開放位置側に向かうに従い、前記第２基板側から前記第１基板側に向かって傾斜する傾斜面が形成されている、
ことを特徴とする請求項１から６のいずれか１項に記載のフォーカルプレーンシャッタ。
【請求項８】
前記突出部の先端部は、前記開放位置にある前記幕に対して所定間隔をあけて形成されている、
ことを特徴とする請求項１から７のいずれか１項に記載のフォーカルプレーンシャッタ。
【請求項９】
請求項１から８のいずれか１項に記載のフォーカルプレーンシャッタを備えることを特徴とする光学機器。
【発明の詳細な説明】
【技術分野】
【０００１】
本発明は、フォーカルプレーンシャッタおよび光学機器に関するものである。
【背景技術】
【０００２】
例えば、デジタルカメラやスチールカメラ等の光学機器には、フォーカルプレーンシャッタが採用されている。フォーカルプレーンシャッタは、開口を有した基板と、開口を開閉する幕と、を備えている（例えば、特許文献１参照）。
【０００３】
フォーカルプレーンシャッタは、幕を移動させることで撮像素子に対する露光（露出）を行う。幕は、基板の開口を閉鎖した閉鎖位置と、開口を開放した開放位置と、の間を相互に移動する。幕は、露光を連続して行うとき（連続動作時）、閉鎖位置から開放位置へ移動した後、開放位置において所定期間経過後に、再び閉鎖位置への移動を開始する。閉鎖位置から開放位置へ移動した幕には、移動時の慣性により撓みが生じることがある。撓みが生じた幕は、光軸方向における既定の位置に対して変位することがある。
ところで、近年のフォーカルプレーンシャッタでは、単位時間当たりに撮影可能なコマ数（コマ速度）を向上するべく、連続動作時における幕の動作間隔の短縮が要求されている。
【先行技術文献】
【特許文献】
【０００４】
【特許文献１】特開２０１４−１８６１２６号公報
【発明の概要】
【発明が解決しようとする課題】
【０００５】
しかしながら、幕の動作間隔を短縮すると、幕は、開放位置において撓みによる光軸方向の変位が解消される前に、閉鎖位置への移動を開始する。これにより、幕が暴れた状態で移動し、露光時間にばらつきが生じることがある。したがって、従来技術のフォーカルプレーンシャッタにあっては、連続動作時において幕を安定させ、露光時間のばらつきを抑制するという点で改善の余地がある。
【０００６】
そこで本発明は、連続動作時において幕を安定させ、露光時間のばらつきを抑制できるフォーカルプレーンシャッタおよび光学機器を提供するものである。
【課題を解決するための手段】
【０００７】
本発明のフォーカルプレーンシャッタは、第１開口を有する第１基板と、前記第１基板に対向するように配置され、前記第１開口に対応する位置に形成された第２開口を有する第２基板と、前記第１基板と前記第２基板との間に配置され、前記第１開口および前記第２開口を開放した開放位置と、前記第１開口および前記第２開口を閉鎖した閉鎖位置と、の間を移動して、前記第１開口および前記第２開口を開閉する幕と、を備え、前記第２基板は、光軸方向から見て前記開放位置にある前記幕と重なる位置において、前記幕に向けて突設され、前記幕が接触可能とされた突出部を有する、ことを特徴とする。
【０００８】
本発明によれば、光軸方向から見て開放位置にある幕と重なる位置において、幕に向けて突設され、幕が接触可能とされた突出部を有するので、開放位置において幕を突出部に接触させることで、幕が光軸方向に変位することを規制できる。これにより、開放位置において幕の光軸方向の変位を解消した後、幕を閉鎖位置へ移動させることが可能となる。したがって、連続動作時において幕を安定させ、露光時間のばらつきを抑制できる。
【０００９】
上記のフォーカルプレーンシャッタにおいて、前記第１基板と前記第２基板との間に配置される仕切り板を備え、前記幕は、露光を終了させる後幕を含み、前記仕切り板には、前記突出部が配置される逃げ部が形成され、前記突出部は、前記光軸方向から見て前記開放位置にある前記後幕と重なる位置において、前記後幕に向けて突設され、前記後幕が接触可能とされている、ことが望ましい。
【００１０】
一般に、露光動作には、後幕の開放位置から閉鎖位置への移動が含まれている。本発明によれば、逃げ部に配置された突出部により、開放位置にある後幕の光軸方向の変位を規制できる。これにより、開放位置において後幕の光軸方向の変位を解消した後、後幕を閉鎖位置へ移動させることが可能となる。したがって、連続動作時において後幕を安定させ、露光時間のばらつきを抑制できる。
【００１１】
上記のフォーカルプレーンシャッタにおいて、前記第１基板と前記第２基板との間に配置される仕切り板を備え、前記幕は、露光を開始させる先幕を含み、前記仕切り板には、前記突出部が配置される逃げ部が形成され、前記突出部は、前記光軸方向から見て前記開放位置にある前記先幕と重なる位置において、前記先幕に向けて突設され、前記先幕が接触可能とされている、ことが望ましい。
【００１２】
本発明によれば、開放位置にある先幕の光軸方向の変位を規制できる。これにより、開放位置において先幕の光軸方向の変位を解消した後、先幕を閉鎖位置へ移動させることが可能となる。したがって、連続動作時において先幕を安定させ、スムーズに連続動作させることができる。
【００１３】
上記のフォーカルプレーンシャッタにおいて、前記突出部は、複数設けられている、ことが望ましい。
【００１４】
本発明によれば、複数個所において幕の光軸方向の変位を規制できるので、開放位置において幕の光軸方向の変位を確実に解消できる。したがって、連続動作時において幕を安定させ、露光時間のばらつきを抑制できる。
【００１５】
上記のフォーカルプレーンシャッタにおいて、前記幕は、前記開放位置において重なりつつ収納される羽根を有し、前記羽根は、前記開放位置から前記閉鎖位置への移動方向と交差する所定方向に沿うように延び、前記突出部は、前記所定方向に並んで配置されている、ことが望ましい。
【００１６】
本発明によれば、突出部が羽根の延びる方向に並んで配置されるので、羽根の光軸方向の変位をより広い範囲で規制でき、開放位置において幕の光軸方向の変位を確実に解消できる。したがって、連続動作時において幕を安定させ、露光時間のばらつきを抑制できる。
【００１７】
上記のフォーカルプレーンシャッタにおいて、前記幕は、前記開放位置において重なりつつ収納される羽根を有し、前記羽根は、前記開放位置から前記閉鎖位置への移動方向と交差する所定方向に沿うように延び、前記突出部は、前記所定方向に沿うように延びている、ことが望ましい。
【００１８】
本発明によれば、突出部が羽根の延びる方向に沿うように延びているので、羽根の光軸方向の変位をより広い範囲で規制でき、開放位置において幕の光軸方向の変位を確実に解消できる。したがって、連続動作時において幕を安定させ、露光時間のばらつきを抑制できる。
【００１９】
上記のフォーカルプレーンシャッタにおいて、前記突出部の先端部には、前記閉鎖位置側から前記開放位置側に向かうに従い、前記第２基板側から前記第１基板側に向かって傾斜する傾斜面が形成されている、ことが望ましい。
【００２０】
本発明によれば、幕が閉鎖位置側から開放位置側に向かうに従い、幕と突出部との光軸方向の間隔が狭くなる傾斜面が、突出部の先端部に形成されているので、幕が閉鎖位置から開放位置へ移動する際に突出部の先端部に接触しても、幕を傾斜面に対して摺動させることができる。これにより、幕を突出部に引っ掛かることなく移動させることができる。したがって、連続動作をスムーズに行うことができる。
【００２１】
上記のフォーカルプレーンシャッタにおいて、前記突出部の先端部は、前記開放位置にある前記幕に対して所定間隔をあけて形成されている、ことが望ましい。
【００２２】
本発明によれば、突出部の先端部が開放位置にある幕に対して所定間隔をあけて形成されているので、幕と突出部とが常時接触することを防止できる。したがって、幕と突出部との摺接による異物の発生を抑制できるとともに、幕に傷が付くことを抑制できる。また、幕が閉鎖位置から開放位置に向かって移動する際に、第１基板と突出部との間に容易に入り込むことができる。したがって、連続動作をスムーズに行うことができる。
【００２３】
本発明の光学機器は、上記のフォーカルプレーンシャッタを備えることを特徴とする。
本発明によれば、露光時間のばらつきが抑制された光学機器が得られる。
【発明の効果】
【００２４】
本発明によれば、光軸方向から見て開放位置にある幕と重なる位置において、幕に向けて突設され、幕が接触可能とされた突出部を有するので、開放位置において幕を突出部に接触させることで、幕が光軸方向に変位することを規制できる。これにより、開放位置において幕の光軸方向の変位を解消した後、幕を閉鎖位置へ移動させることが可能となる。したがって、連続動作時において幕を安定させ、露光時間のばらつきを抑制できる。
【図面の簡単な説明】
【００２５】
【図１】実施形態の光学機器のブロック図である。
【図２】実施形態のフォーカルプレーンシャッタの正面図であって、初期状態を示している。
【図３】実施形態のフォーカルプレーンシャッタの正面図であって、露光中の状態を示している。
【図４】実施形態のフォーカルプレーンシャッタの正面図であって、露光を終了した直後の状態を示している。
【図５】図２のＶ−Ｖ線における断面図である。
【図６】図５のＡ部の拡大断面図である。
【図７】実施形態の第１変形例に係るフォーカルプレーンシャッタの説明図であり、図５のＡ部に相当する部分における拡大断面図である。
【図８】実施形態の第２変形例に係るフォーカルプレーンシャッタの説明図であり、図５のＡ部に相当する部分における拡大断面図である。
【図９】実施形態の第３変形例に係るフォーカルプレーンシャッタの正面図であって、初期状態を示している。
【図１０】実施形態の第４変形例に係るフォーカルプレーンシャッタの正面図であって、初期状態を示している。
【発明を実施するための形態】
【００２６】
以下、本発明の実施形態を図面に基づいて説明する。
（光学機器）
図１は、光学機器のブロック図である。
図１に示すように、光学機器１は、例えばデジタルカメラやスチールカメラ等であって、制御部２と、撮像素子４と、フォーカルプレーンシャッタ１０と、を備えている。
【００２７】
制御部２は、光学機器１の全体の動作を制御しており、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えている。制御部２は、後述するフォーカルプレーンシャッタ１０の動作を制御する。
【００２８】
撮像素子４は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等であって、光により形成された被写体像を電気信号に変換する。
なお、光学機器１は、図１には図示していないが、焦点距離を調整するためのレンズ等を備えている。
【００２９】
（フォーカルプレーンシャッタ）
図２から図４は、第１実施形態のフォーカルプレーンシャッタの正面図であって、図２は初期状態（チャージ状態）を示し、図３は露光中の状態を示し、図４は露光を終了した直後の状態（露光終了状態）を示している。図５は、図２のＶ−Ｖ線における断面図である。
【００３０】
図２に示すように、フォーカルプレーンシャッタ１０は、台板１１（第１基板）と、羽根受板１５（第２基板）と、仕切り板２１と、先幕３０Ａ（幕）と、後幕３０Ｂ（幕）と、を主に有している。
【００３１】
台板１１は、例えば合成樹脂等により形成され、矩形状の第１開口１２を有している。台板１１は、フォーカルプレーンシャッタ１０を構成する部材のうち、光学機器１のレンズに対して最も近く配置される部材である。
【００３２】
羽根受板１５は、台板１１の背面において、台板１１に対向するように配置されている（図５参照）。羽根受板１５は、例えば合成樹脂や金属材料等により形成され、矩形状の第２開口１６を有している。第２開口１６は、台板１１の第１開口１２に対応する位置に形成されている。第２開口１６は、正面視において第１開口１２と略一致するように形成されている。羽根受板１５は、台板１１に対して例えばネジ等により締結固定されている。
【００３３】
仕切り板２１は、台板１１と羽根受板１５との間において、台板１１および羽根受板１５に沿うように配置されている（図５参照）。仕切り板２１は、例えば合成樹脂等により、平面視において台板１１および羽根受板１５よりもやや小さく形成されている。仕切り板２１は、矩形状の第３開口２２を有している。第３開口２２は、台板１１の第１開口１２に対応する位置に形成されている。第３開口２２は、正面視において第１開口１２および羽根受板１５の第２開口１６と略一致するように形成されている。仕切り板２１は、その外周部において台板１１に対して固定されている。
【００３４】
先幕３０Ａおよび後幕３０Ｂは、台板１１と羽根受板１５との間に配置されている。先幕３０Ａおよび後幕３０Ｂは、それぞれ各開口１２，１６，２２の全体を開放した開放位置と、各開口１２，１６，２２の全体を閉鎖した閉鎖位置と、の間を移動し、各開口１２，１６，２２を開閉可能とされている（図２から図４参照）。なお、図２は、先幕３０Ａが閉鎖位置にあり後幕３０Ｂが開放位置にある場合を示している。図３は、先幕３０Ａおよび後幕３０Ｂの両方が開放位置にある場合を示している。図４は、先幕３０Ａが開放位置にあり、後幕３０Ｂが閉鎖位置にある場合を示している。先幕３０Ａおよび後幕３０Ｂは、それぞれが開放位置にある状態において、第１開口１２を挟んで第１開口１２の短手方向における一方側と他方側とに位置するように設けられている（図３参照）。
【００３５】
先幕３０Ａは、羽根受板１５と仕切り板２１との間に配設されている（図５参照）。先幕３０Ａは、羽根３１ａ〜３４ａを備えている。羽根３１ａ〜３４ａは、閉鎖位置において展開され、開放位置において重なりつつ収納される。羽根３１ａ〜３４ａは、閉鎖位置において、先幕３０Ａが開放位置から閉鎖位置へ移動するときの移動方向上流側から下流側に向けて、羽根３４ａ，３３ａ，３２ａ，３１ａの順に並んで配置されている。
【００３６】
図５に示すように、後幕３０Ｂは、台板１１と仕切り板２１との間に配設されている。図４に示すように、後幕３０Ｂは、羽根３１ｂ〜３４ｂを備えている。羽根３１ｂ〜３４ｂは、閉鎖位置において展開され、開放位置において重なりつつ収納される。羽根３１ｂ〜３４ｂは、閉鎖位置において、後幕３０Ｂが開放位置から閉鎖位置へ移動するときの移動方向上流側から下流側に向けて、羽根３４ｂ，３３ｂ，３２ｂ，３１ｂの順に並んで配置されている。
【００３７】
羽根３１ａ〜３４ａ，３１ｂ〜３４ｂは、例えば合成樹脂等により、薄く形成されている。羽根３１ａ〜３４ａ，３１ｂ〜３４ｂは、それぞれの開放位置から閉鎖位置への移動方向と直交する方向（所定方向）に沿うように延びている。なお、羽根３１ａ〜３４ａの開放位置から閉鎖位置への移動方向と、羽根３１ｂ〜３４ｂの閉鎖位置から開放位置への移動方向と、は一致している。以下、羽根３１ａ〜３４ａ，３１ｂ〜３４ｂの移動方向を第１方向Ｌ１と定義する。また、第１方向Ｌ１に直交する方向を第２方向Ｌ２と定義する。なお、第１方向Ｌ１は、第１開口１２の短手方向と一致し、第２方向Ｌ２は、第１開口１２の長手方向と一致している。また、第１方向Ｌ１および第２方向Ｌ２に直交する方向は、光軸方向（第１開口１２の貫通方向）に一致している。以下、光軸方向には、符号Ｌ３を付す。なお、羽根３１ａ〜３４ａ，３１ｂ〜３４ｂは、合成樹脂製に限定されない。羽根３１ａ〜３４ａ，３１ｂ〜３４ｂは、金属製あるいは炭素繊維複合材で形成されてもよい。
【００３８】
図２に示すように、羽根３１ａ〜３４ａは、先幕駆動アーム４１ａ，４２ａに連結されている。先幕駆動アーム４１ａ，４２ａは、羽根受板１５と仕切り板２１との間に配設されている。先幕駆動アーム４１ａ，４２ａは、それぞれ強度を保つため金属の薄板で形成されている。先幕駆動アーム４１ａは、その基端部において台板１１に対して揺動中心Ｏ１回りに揺動可能に支持されている。先幕駆動アーム４２ａは、その基端部において台板１１に対して揺動中心Ｏ２回りに揺動自在に支持されている。
【００３９】
羽根３１ａは、その第２方向Ｌ２の一端部において、先幕駆動アーム４１ａ，４２ａの先端部に回転可能に連結されている。羽根３２ａは、その第２方向Ｌ２の一端部において、先幕駆動アーム４１ａ，４２ａの羽根３１ａとの連結部分よりも基端側の部分に回転可能に連結されている。羽根３３ａは、その第２方向Ｌ２の一端部において、先幕駆動アーム４１ａ，４２ａの羽根３２ａとの連結部分よりも基端側の部分に回転可能に連結されている。羽根３４ａは、その第２方向Ｌ２の一端部において、先幕駆動アーム４１ａ，４２ａの羽根３３ａとの連結部分よりも基端側の部分に回転可能に連結されている。羽根３１ａ〜３４ａは、それぞれ先幕駆動アーム４１ａ，４２ａとともに、平行リンク機構として機能する。
【００４０】
図４に示すように、羽根３１ｂ〜３４ｂは、後幕駆動アーム４１ｂ，４２ｂに連結されている。後幕駆動アーム４１ｂ，４２ｂは、台板１１と仕切り板２１との間に配設されている。後幕駆動アーム４１ｂ，４２ｂは、先幕駆動アーム４１ａ，４２ａと同様に、それぞれ強度を保つため金属の薄板で形成されている。後幕駆動アーム４１ｂは、その基端部において台板１１に対して揺動中心Ｐ１回りに揺動可能に支持されている。後幕駆動アーム４２ｂは、その基端部において台板１１に対して揺動中心Ｐ２回りに揺動自在に支持されている。
【００４１】
羽根３１ｂは、その第２方向Ｌ２の一端部において、後幕駆動アーム４１ｂ，４２ｂの先端部に回転可能に連結されている。羽根３２ｂは、その第２方向Ｌ２の一端部において、後幕駆動アーム４１ｂ，４２ｂの羽根３１ｂとの連結部分よりも基端側の部分に回転可能に連結されている。羽根３３ｂは、その第２方向Ｌ２の一端部において、後幕駆動アーム４１ｂ，４２ｂの羽根３２ｂとの連結部分よりも基端側の部分に回転可能に連結されている。羽根３４ｂは、その第２方向Ｌ２の一端部において、後幕駆動アーム４１ｂ，４２ｂの羽根３３ｂとの連結部分よりも基端側の部分に回転可能に連結されている。羽根３１ｂ〜３４ｂは、それぞれ後幕駆動アーム４１ｂ，４２ｂとともに、平行リンク機構として機能する。
【００４２】
台板１１には、先幕駆動アーム４１ａを駆動するための先幕駆動レバー（不図示）と、後幕駆動アーム４２ｂを駆動するための後幕駆動レバー（不図示）と、が設けられている。先幕駆動レバーおよび後幕駆動レバーは、それぞれ所定の範囲を揺動可能に台板１１に支持されている。詳細には、先幕駆動レバーは、台板１１に形成された軸を中心にして揺動可能に支持されており、台板１１に形成された溝に挿通されることによりその揺動範囲が規定されている。後幕駆動レバーも同様である。
【００４３】
先幕駆動レバーおよび後幕駆動レバーは、それぞれ図示しない駆動源により揺動される。駆動源としては、例えば電磁石とバネ等の付勢部材との作用により各駆動レバーを駆動するものや、ロータ、ステータおよびコイルを備えた電磁アクチュエータ等を用いることができる。
【００４４】
先幕駆動アーム４１ａは、先幕駆動レバー（不図示）に連結されている。後幕駆動アーム４２ｂは、後幕駆動レバー（不図示）に連結されている。先幕駆動レバーが揺動することにより、先幕駆動アーム４１ａが揺動し、これにより先幕３０Ａが移動する。同様に、後幕駆動レバーが揺動することにより、後幕駆動アーム４２ｂが揺動し、これにより後幕３０Ｂが移動する。
【００４５】
図６は、図５のＡ部の拡大断面図である。
図２および図６に示すように、羽根受板１５は、光軸方向Ｌ３から見て開放位置にある後幕３０Ｂと重なる位置において、光軸方向Ｌ３に沿って後幕３０Ｂに向けて突設された突出部１７を有する。突出部１７は、円柱状に形成されている。図６に示すように、突出部１７は、仕切り板２１に形成された円孔の逃げ部２３に挿通（配置）されている。突出部１７の先端部は、仕切り板２１よりも開放位置にある後幕３０Ｂ側に突出している。突出部１７の先端部は、第１方向Ｌ１および第２方向Ｌ２に沿う平面状に形成されている。突出部１７の先端部は、開放位置にある後幕３０Ｂに対して所定間隔Ｇをあけて形成されている。所定間隔Ｇは、例えば後幕３０Ｂの羽根３１ｂ〜３４ｂのうちいずれかの羽根の厚さと同等になっている。
【００４６】
以下、本実施形態のフォーカルプレーンシャッタ１０の動作および作用について説明する。
図２に示すように、フォーカルプレーンシャッタ１０は、初期状態においては、先幕３０Ａは閉鎖位置にあり、後幕３０Ｂは開放位置にある。
【００４７】
撮影に際して、光学機器１のレリーズボタンが押されると先幕駆動レバーが回転する。これにより、図３に示すように、先幕３０Ａは露光を開始して各開口１２，１６，２２を開放した状態となる。また、後幕３０Ｂは、各開口１２，１６，２２を所定の時間開放した状態に維持される。これにより、各開口１２，１６，２２は開いた状態（露光状態）となる。
【００４８】
レリーズボタンが押されてから所定の時間経過後に、後幕駆動レバーが回転する。これにより、図４に示すように、後幕３０Ｂは開放位置から閉鎖位置へ移動して各開口１２，１６，２２を閉鎖して露光を終了させる。このようにして１回の撮影が終了する。
【００４９】
次に、不図示のセットレバーによって先幕駆動レバーおよび後幕駆動レバーが撮影動作時とは反対方向に回転される。これにより、先幕３０Ａは展開されて各開口１２，１６，２２を閉鎖し、後幕３０Ｂは収納されて各開口１２，１６，２２を開放し、図２に示す初期状態に戻る。
【００５０】
後幕３０Ｂが閉鎖位置から開放位置へ移動するとき、その移動終端位置において、後幕駆動レバーは、後幕駆動レバーが挿通される台板１１に形成された溝の端部に当接する。後幕駆動レバーが溝の端部に当接すると、後幕３０Ｂの羽根３１ｂ〜３４ｂには移動時の慣性により撓みが生じることがある。撓みが生じた後幕３０Ｂは、光軸方向Ｌ３における既定の位置に対して変位することがある。閉鎖位置にある後幕３０Ｂが配置された台板１１と仕切り板２１との間には、突出部１７が仕切り板２１から光軸方向Ｌ３に突出している。このため、開放位置にある後幕３０Ｂが光軸方向Ｌ３に変位することを抑制できる。
【００５１】
露光を連続して行うとき（連続動作時）には、後幕３０Ｂは、閉鎖位置から開放位置へ移動した後、所定期間経過後に、再び閉鎖位置への移動を開始する。ここで、上述したように、後幕３０Ｂは、開放位置において突出部１７により光軸方向Ｌ３の変位が抑制される。このため、後幕３０Ｂの閉鎖位置への移動を開始するときには、光軸方向Ｌ３の変位を解消したうえで移動させることができるため、安定した状態で後幕３０Ｂを移動させることができる。
【００５２】
このように、本実施形態によれば、光軸方向Ｌ３から見て開放位置にある後幕３０Ｂと重なる位置において、後幕３０Ｂに向けて突設され、後幕３０Ｂが接触可能とされた突出部１７を有するので、開放位置において後幕３０Ｂを突出部１７に接触させることで、後幕３０Ｂが光軸方向Ｌ３に変位することを規制できる。これにより、開放位置において後幕３０Ｂの光軸方向Ｌ３の変位を解消した後、後幕３０Ｂを閉鎖位置へ移動させることが可能となる。したがって、連続動作時において後幕３０Ｂを安定させ、露光時間のばらつきを抑制できる。
【００５３】
しかも、突出部１７は、台板１１に対してネジ等により固定された羽根受板１５に設けられている。このため、例えば羽根受板１５よりも薄く形成された仕切り板２１に後幕３０Ｂを接触させる構成と比較して、後幕３０Ｂが接触する時の衝撃を、突出部１７を介して羽根受板１５により効果的に受け止め、後幕３０Ｂの光軸方向Ｌ３の変位を確実に規制できる。
【００５４】
また、一般に、露光動作には、後幕３０Ｂの開放位置から閉鎖位置への移動が含まれている。本実施形態によれば、逃げ部２３に配置された突出部１７により、台板１１と仕切り板２１との間に配置された開放位置にある後幕３０Ｂの光軸方向Ｌ３の変位を規制できる。これにより、開放位置において後幕３０Ｂの光軸方向Ｌ３の変位を解消した後、後幕３０Ｂを閉鎖位置へ移動させることが可能となる。したがって、連続動作時において後幕３０Ｂを安定させ、露光時間のばらつきを抑制できる。
【００５５】
また、突出部１７の先端部は、開放位置にある後幕３０Ｂに対して所定間隔Ｇをあけて形成されているので、後幕３０Ｂと突出部１７とが常時接触することを防止できる。このため、後幕３０Ｂと突出部１７との摺接による異物の発生を抑制できるとともに、後幕３０Ｂに傷が付くことを抑制できる。
また、突出部１７の先端部が開放位置にある後幕３０Ｂに対して所定間隔Ｇをあけて形成されているので、後幕３０Ｂが閉鎖位置から開放位置に向かって移動する際に、台板１１と突出部１７との間に容易に入り込むことができる。したがって、連続動作をスムーズに行うことができる。
【００５６】
また、フォーカルプレーンシャッタ１０の組み立て時には、台板１１に対して仕切り板２１を取り付けた後、台板１１に対して羽根受板１５を取り付ける。このとき、仕切り板２１に形成された逃げ部２３に羽根受板１５の突出部１７を挿通させることで、台板１１に対する羽根受板１５の位置決めを行うことができる。したがって、フォーカルプレーンシャッタ１０の組み立てを容易に行うことができる。
【００５７】
また、本実施形態の光学機器１は、フォーカルプレーンシャッタ１０を備えているため、露光時間のばらつきが抑制され、高画質な画像を撮影できる。
【００５８】
次に、実施形態の第１変形例のフォーカルプレーンシャッタ１１０について説明する。
図７は、実施形態の第１変形例に係るフォーカルプレーンシャッタの説明図であり、図５のＡ部に相当する部分における拡大断面図である。
図６に示す実施形態では、突出部１７の先端部は、第１方向Ｌ１および第２方向Ｌ２に沿う平面状に形成されている。これに対して、図７に示す実施形態の第１変形例では、突出部１１７の先端部は、第１方向Ｌ１に対して傾斜する傾斜面１１７ａが形成されている点で、上記実施形態と異なっている。なお、実施形態と同様の構成については、同一符号を付して詳細な説明を省略する。
【００５９】
図７に示すように、羽根受板１５は、突出部１１７を有する。突出部１１７の先端部には、傾斜面１１７ａが形成されている。傾斜面１１７ａは、後幕３０Ｂの閉鎖位置側から開放位置側に向かうに従い、羽根受板１５側から台板１１側に向かって傾斜している。これは、後幕３０Ｂが閉鎖位置から開放位置に向かって移動する際に、移動時の慣性による撓みにより光軸方向Ｌ３に変位した、羽根３１ｂ〜３４ｂの開放位置側の端部と突出部１１７とが衝突して引っ掛かることを防止するためである。なお、図７に示すように、傾斜面１１７ａのうち、後幕３０Ｂの閉鎖位置側の端縁１１７ｂを、仕切り板２１の逃げ部２３の内側に入り込んでいる構成とすることにより、確実に羽根３１ｂ〜３４ｂ突出部１１７とが衝突することを防止することができる。
【００６０】
この構成によれば、後幕３０Ｂが閉鎖位置側から開放位置側に向かうに従い、光軸方向Ｌ３において後幕３０Ｂと突出部１１７との間隔が狭くなる傾斜面１１７ａが、突出部１１７の先端部に形成されているので、移動時の慣性による撓みにより光軸方向Ｌ３に変位した後幕３０Ｂが、閉鎖位置から開放位置へ移動する際に突出部１１７の先端部に接触しても、後幕３０Ｂを傾斜面１１７ａに対して摺動させることができる。これにより、後幕３０Ｂを突出部１１７に引っ掛かることなく移動させることができる。したがって、連続動作をスムーズに行うことができる。
【００６１】
次に、実施形態の第２変形例のフォーカルプレーンシャッタ２１０について説明する。
図８は、実施形態の第２変形例に係るフォーカルプレーンシャッタの説明図であり、図５のＡ部に相当する部分における拡大断面図である。
図６に示す実施形態では、突出部１７の先端部は、平面状に形成されている。これに対して、図８に示す実施形態の第２変形例では、突出部２１７の先端部は、球面状に形成されている点で、上記実施形態と異なっている。なお、実施形態と同様の構成については、同一符号を付して詳細な説明を省略する。
【００６２】
図８に示すように、羽根受板１５は、突出部２１７を有する。突出部２１７の先端部は、光軸方向Ｌ３における台板１１側に向けて膨出する球面状に形成されている。
この構成によれば、開放位置にある後幕３０Ｂが突出部２１７の先端部の曲面部分に接触可能となるので、後幕３０Ｂに傷が付くことを防止できる。
【００６３】
また、突出部２１７の先端部のうち、第１方向Ｌ１における後幕３０Ｂの閉鎖位置側に面する面２１７ａは、後幕３０Ｂの閉鎖位置側から開放位置側に向かうに従い、漸次羽根受板１５側から台板１１側に向かって反るように湾曲している。このため、後幕３０Ｂが閉鎖位置から開放位置へ移動する際に突出部２１７の先端部に接触しても、突出部２１７の先端部に対して摺動させることができる。これにより、後幕３０Ｂを突出部２１７に引っ掛かることなく移動させることができる。したがって、連続動作をスムーズに行うことができる。
【００６４】
次に、実施形態の第３変形例のフォーカルプレーンシャッタ３１０について説明する。
図９は、実施形態の第３変形例に係るフォーカルプレーンシャッタの正面図であって、初期状態を示している。
図２に示す実施形態では、突出部１７が１個設けられている。これに対して、図９に示す実施形態の第３変形例では、突出部１７が複数（本変形例では２個）設けられている点で、上記実施形態と異なっている。なお、実施形態と同様の構成については、同一符号を付して詳細な説明を省略する。
【００６５】
図９に示すように、羽根受板１５は、複数の突出部１７を有する。複数の突出部１７は、第２方向Ｌ２に並んで配置されている。
【００６６】
この構成によれば、複数個所において後幕３０Ｂの光軸方向Ｌ３の変位を規制できるので、開放位置において後幕３０Ｂの光軸方向Ｌ３の変位を確実に解消できる。
しかも、突出部１７が羽根３１ｂ〜３４ｂの延びる第２方向Ｌ２に並んで配置されるので、羽根３１ｂ〜３４ｂの光軸方向Ｌ３の変位をより広い範囲で規制でき、開放位置において後幕３０Ｂの光軸方向Ｌ３の変位を確実に解消できる。したがって、連続動作時において後幕３０Ｂを安定させ、露光時間のばらつきを抑制できる。
【００６７】
なお、本変形例では、突出部１７は２個設けられているが、これに限定されず、突出部１７が３個以上設けられていてもよい。
【００６８】
次に、実施形態の第４変形例のフォーカルプレーンシャッタ４１０について説明する。
図１０は、実施形態の第４変形例に係るフォーカルプレーンシャッタの正面図であって、初期状態を示している。
図２に示す実施形態では、突出部１７が円柱状に形成されている。これに対して、図１０に示す実施形態の第４変形例では、突出部４１７が横断面視長円形状の柱状に形成されている点で、上記実施形態と異なっている。なお、実施形態と同様の構成については、同一符号を付して詳細な説明を省略する。
【００６９】
図１０に示すように、羽根受板１５は、突出部４１７を有する。突出部４１７は、光軸方向Ｌ３に沿って突出する柱状に形成されている。突出部４１７は、光軸方向Ｌ３から見た横断面視で第２方向Ｌ２に沿うように延びる長円形状に形成されている。突出部４１７は、仕切り板２１に形成された長円孔の逃げ部４２３に挿通（配置）されている。
【００７０】
この構成によれば、突出部４１７が羽根３１ｂ〜３４ｂの延びる第２方向Ｌ２に沿うように延びているので、羽根３１ｂ〜３４ｂの光軸方向Ｌ３の変位をより広い範囲で規制でき、開放位置において後幕３０Ｂの光軸方向Ｌ３の変位を確実に解消できる。したがって、連続動作時において後幕３０Ｂを安定させ、露光時間のばらつきを抑制できる。
【００７１】
なお、本発明は、図面を参照して説明した上述の実施形態に限定されるものではなく、その技術的範囲において様々な変形例が考えられる。
例えば、上記実施形態においては、突出部１７，１１７，２１７，４１７は、羽根受板１５と一体に設けられているが、これに限定されず、例えば羽根受板に対して別体で形成された突出部が羽根受板に取り付けられる構成であってもよい。
【００７２】
また、上記実施形態のフォーカルプレーンシャッタ１０，１１０，２１０，３１０，４１０は、先幕３０Ａおよび後幕３０Ｂを有していたが、これに限定されるものではない。例えばフォーカルプレーンシャッタは、幕として後幕３０Ｂのみを備え、光学機器１の制御部２により撮像素子４を電子制御して先幕の動作を撮像素子４に実行させる電子先幕機能を制御部２に持たせてもよい。
【００７３】
また、上記実施形態においては、突出部１７，１１７，２１７，４１７は、羽根受板１５に設けられ、後幕３０Ｂが接触可能とされているが、これに限定されるものではない。突出部は、台板１１に設けられ、先幕３０Ａが接触可能とされてもよく、台板１１に設けられた突出部の先端部には、第１方向Ｌ１に対して傾斜する傾斜面を形成してもよい。この場合の傾斜は、先幕３０Ａの閉鎖位置側から開放位置側に向かうに従い、台板１１側から羽根受板１５側に向かって傾斜している。
【００７４】
その他、本発明の趣旨を逸脱しない範囲で、上記した実施の形態における構成要素を周知の構成要素に置き換えることは適宜可能である。
【符号の説明】
【００７５】
１…光学機器  １０，１１０，２１０，３１０，４１０…フォーカルプレーンシャッタ  １１…台板（第１基板）  １２…第１開口  １５…羽根受板（第２基板）  １６…第２開口  １７，１１７，２１７，４１７…突出部  ２１…仕切り板  ２３，４２３…逃げ部  ３０Ａ…先幕（幕）  ３０Ｂ…後幕（幕）  ３１ｂ，３２ｂ，３３ｂ，３４ｂ…羽根  １１７ａ…傾斜面  Ｌ２…第２方向（所定方向）
【図１】
2017090565.tif 000003
【図２】
2017090565.tif 000004
【図３】
2017090565.tif 000005
【図４】
2017090565.tif 000006
【図５】
2017090565.tif 000007
【図６】
2017090565.tif 000008
【図７】
2017090565.tif 000009
【図８】
2017090565.tif 000010
【図９】
2017090565.tif 000011
【図１０】
2017090565.tif 000012